(57)【要約】【課題】本発明は、押しボタンを支えるアームをコンパクトに配置でき、押しボタンの設置に必要なスペースが少なくて済む電子機器を得ることにある。【解決手段】電子機器は、上壁（４ａ）を有する筐体（４）と、上壁に取り付けられるフレーム（１８）とを備えている。このフレームに弾性を有するアーム（３８ａ，３８ｂ）を介してクリックスイッチボタン（２１ａ，２１ｂ）が変位可能に保持されている。クリックスイッチボタンは、アームと重なり合うような位置関係に保たれている。【選択図】  図４
2004259537.tif 000002
【特許請求の範囲】
【請求項１】
外壁を有する筐体と、
上記外壁に弾性変位可能に支持されるアームと、
上記外壁に上記アームを介して変位可能に保持され、このアームと重なり合う押しボタンと、を具備したことを特徴とする電子機器。
【請求項２】
請求項１の記載において、上記アームと上記押しボタンは一体成形されていることを特徴とする電子機器。
【請求項３】
請求項１又は請求項２の記載において、上記外壁と上記アームは一体成形されていることを特徴とする電子機器。
【請求項４】
請求項１の記載において、上記外壁にフレームが取り付けられ、上記アームは上記フレームに弾性弾性変位可能に支持されていることを特徴とする電子機器。
【請求項５】
請求項４の記載において、上記アームと上記フレームは一体成形されていることを特徴とする電子機器。
【請求項６】
請求項４の記載において、上記押しボタンは、ベースと、このベースよりも大きなボタントップとを有し、上記アームは、上記ベースと上記フレームとの間に跨るとともに、上記ボタントップによって覆われていることを特徴とする電子機器。
【請求項７】
請求項６の記載において、上記ベースは、上記フレームによって取り囲まれているとともに、上記アームは、上記フレームの内側に向けて張り出していることを特徴とする電子機器。
【請求項８】
外壁を有する筐体と、
上記外壁に取り付けられるフレームと、
上記フレームの内側に張り出すとともに、弾性変位可能な複数のアームと、上記アームの間に保持され、上記フレームに対し変位可能であるとともに、上記アームと重なり合う押しボタンと、を具備したことを特徴とする電子機器。
【請求項９】
請求項８の記載において、上記押しボタンは、ベースと、このベースよりも大きなボタントップとを有し、上記アームは、上記ベースと上記フレームとを連結するとともに、上記ボタントップによって覆われていることを特徴とする電子機器。
【請求項１０】
請求項９の記載において、上記フレーム、上記アームおよび上記ベースは、合成樹脂材料にて一体成形されているとともに、上記アームは、上記ベースを間に挟んで互いに対称に配置されていることを特徴とする電子機器。
【請求項１１】
請求項４又は請求項８の記載において、上記筐体の外壁は、上記フレームが嵌め込まれる装着孔を有することを特徴とする電子機器。
【請求項１２】
ボタン配置領域を有する筐体と、
上記ボタン配置領域に配置される押しボタンと、
上記押しボタンと上記ボタン配置領域とを連結し、上記押しボタンを上記ボタン配置領域に対し変位可能に保持するとともに、上記押しボタンと重なり合う弾性を有するアームと、を具備したことを特徴とする電子機器。
【請求項１３】
請求項１２の記載において、上記筐体、アームおよび押しボタンは一体成形されていることを特徴とする電子機器。
【請求項１４】
請求項１２の記載において、上記ボタン配置領域は、上記筐体の外方に向けて開口するとともに、上記押しボタンを取り囲む周壁を有する凹部であり、上記アームは、上記周壁から上記押しボタンに向けて張り出していることを特徴とする電子機器。
【請求項１５】
請求項１２ないし請求項１４のいずれかの記載において、上記押しボタンは、ベースと、このベースよりも大きなボタントップとを有し、上記アームは、上記ベースと上記周壁とを連結するとともに、上記ボタントップによって覆われていることを特徴とする電子機器。
【請求項１６】
請求項１、請求項８および請求項１２のいずれかの記載において、上記筐体は、上記押しボタンと向かい合う位置に、この押しボタンによって操作されるスイッチを有することを特徴とする電子機器。
【請求項１７】
フレームと、
上記フレームの内側に張り出すとともに、一端が弾性変位可能なアームと、上記アームに保持され、上記フレームに対し変位可能であるとともに、上記アームと重なり合う押しボタンと、を具備したことを特徴とする押しボタンユニット。
【請求項１８】
請求項１７の記載において、上記フレーム、上記アームおよび上記押しボタンは、合成樹脂材料にて一体成形されていることを特徴とする押しボタンユニット。
【請求項１９】
請求項１７又は請求項１８の記載において、上記押しボタンは、ベースと、このベースよりも大きなボタントップとを有し、上記アームは、上記ベースと上記フレームとを連結するとともに、上記ボタントップによって覆われていることを特徴とする押しボタンユニット。
【発明の詳細な説明】
【０００１】
【発明の属する技術分野】
本発明は、例えばクリックスイッチボタンや電源スイッチボタンのような押しボタンを有する電子機器および押しボタンを変位可能に保持するフレームを有する押しボタンユニットに関する。
【０００２】
【従来の技術】
例えばポータブルコンピュータのような電子機器は、例えば電源スイッチボタンやクリックスイッチボタンのような押しボタンを有している。押しボタンは、筐体の外壁に配置されており、手の指先で押されるようになっている。
【０００３】
従来の押しボタンは、ボタン本体と複数のアームとを備えている。これらボタン本体およびアームは、合成樹脂材料にて一体成形されている。ボタン本体は、手の指先で押せるように外壁に開けた開口を通じて筐体の外方に露出している。
アームは、弾性を有するとともに、ボタン本体の外周縁から外側に張り出しており、これらアームの先端部が外壁の内面に固定されている。
【０００４】
このため、ボタン本体は、アームを介して筐体に保持されており、このアームの弾性により筐体の外壁に対し変位可能となっている（例えば、特許文献１〜３参照）。
【０００５】
【特許文献１】
実開平５−８７７６４号公報（４−６頁、図１−図５）
【０００６】
【特許文献２】
特開２００１−２３６８５２号公報（２−３頁、図３−図５）
【０００７】
【特許文献３】
米国特許第６，１６０，２３２号明細書（コラム２、図３−６）
【０００８】
【発明が解決しようとする課題】
従来の押しボタンによると、ボタン本体を筐体に保持するアームがボタン本体の外周囲に張り出している。このような構成では、アームの張り出しにより押しボタンの形状が大きなものとなり、ボタン本体の外周囲にアームを収めるスペースを確保しなくてはならない。
【０００９】
特に特許文献２のようにボタン本体が枠体によって取り囲まれ、この枠体とボタン本体との間にアームが介在されている構成では、枠体がボタン本体の外周囲により大きく張り出すことになる。この結果、押しボタンの大形化を避けられず、押しボタンを筐体の内部にコンパクトに収めることができなくなる。
【００１０】
本発明の目的は、押しボタンを支えるアームをコンパクトに配置でき、押しボタンの設置に必要なスペースが少なくて済む電子機器を得ることにある。
【００１１】
本発明の他の目的は、押しボタンを支えるフレームを小形化することができ、コンパクトな押しボタンユニットを得ることにある。
【００１２】
【課題を解決するための手段】
上記目的を達成するため、本発明の一つの形態に係る電子機器は、
外壁を有する筐体と、
上記外壁に弾性変位可能に支持されるアームと、
上記外壁に上記アームを介して変位可能に保持され、このアームと重なり合う押しボタンと、を具備したことを特徴としている。
【００１３】
この構成によれば、アームが押しボタンの周囲に張り出すことはなく、この押しボタンの設置スペースを減じることができる。
【００１４】
【発明の実施の形態】
以下本発明の第１の実施の形態を図１ないし図７にもとづいて説明する。
【００１５】
図１は、電子機器としてのポータブルコンピュータ１を開示している。ポータブルコンピュータ１は、コンピュータ本体２とディスプレイユニット３とで構成されている。
【００１６】
コンピュータ本体２は、偏平な箱状の筐体４を備えている。筐体４は、外壁としての上壁４ａを有している。上壁４ａは、キーボード５を支持している。キーボード５は、多数のキートップ６とポインティングデバイスの一種であるジョイスティック７とを有している。ジョイスティック７は、キーボード５の中央部に位置している。
【００１７】
上壁４ａの前半部は、キーボード５を操作する際に手を載せるパームレスト８を兼ねている。パームレスト８は、キーボード５の手前に位置するとともに、筐体４の幅方向に延びている。さらに、上壁４ａの後端に一対のスピーカユニット９ａ，９ｂが取り付けられている。スピーカユニット９ａ，９ｂは、筐体４の幅方向に互いに離れているとともに、上壁４ａの後端から上向きに突出している。
【００１８】
ディスプレイユニット３は、ディスプレイハウジング１１と液晶ディスプレイパネル１２とを備えている。ディスプレイハウジング１１は、偏平な箱形であり、その前面に四角い開口部１３が形成されている。液晶ディスプレイパネル１２は、画像を表示するスクリーン１２ａを有している。スクリーン１２ａは、開口部１３を介してディスプレイハウジング１１の外部に露出している。
【００１９】
図１に示すように、ディスプレイハウジング１１は、その一端に脚部１４を有している。脚部１４は、筐体４のスピーカユニット９ａ，９ｂの間に導かれるとともに、図示しないヒンジを介して筐体４の後端に連結されている。ヒンジは、筐体４の幅方向に沿う水平な軸線Ｘ１を有している。
【００２０】
このため、ディスプレイユニット３は、ヒンジの軸線Ｘ１を回動中心として閉じ位置と開き位置との間に亘って回動可能となっている。この閉じ位置では、ディスプレイユニット３がキーボード５やパームレスト８を上方から覆うように横たわっている。開き位置では、ディスプレイユニット３がコンピュータ本体２に対し起立しており、キーボード５、パームレスト８およびスクリーン１２ａがポータブルコンピュータ１の外方に露出している。
【００２１】
筐体４のパームレスト８は、その幅方向に沿う中央部に四角い装着孔１６を有している。このパームレスト８の装着孔１６に押しボタンユニット１７が組み込まれている。図２に示すように、押しボタンユニット１７は、フレーム１８、プリント回路板１９、一対の第１のクリックスイッチボタン２０ａ，２０ｂおよび一対の第２のクリックスイッチボタン２１ａ，２１ｂを備えている。
【００２２】
フレーム１８は、パームレスト８の装着孔１６に嵌め込まれている。フレーム１８は、平坦な上面２２と、この上面２２に開口する第１ないし第４の貫通孔２３ａ〜２３ｄとを有している。フレーム１８の上面２２は、パームレスト８の上面と同一面上に位置している。第１の貫通孔２３ａは、筐体４の幅方向に延びる長方形状をなしており、キーボード５と隣り合うフレーム１８の後端部に位置している。第２の貫通孔２３ｂは、四角い開口形状を有し、フレーム１８の中央部に位置している。この第２の貫通孔２３ｂの開口縁部にリム２４が嵌め込まれている。このリム２４の前端部には、第５の貫通孔２３ｅが形成されている。第５の貫通孔２３ｅは、筐体４の幅方向に延びる長方形状をなすとともに、第１の貫通孔２３ａの直前に位置している。
【００２３】
プリント回路板１９は、フレーム１８の裏にねじ２６を介して固定されている。プリント回路板１９の上面にポインティングデバイスの一種であるタッチパッド２７と一対のクリックスイッチ２８ａ，２８ｂが実装されている。タッチパッド２７は、手の指先で触れる平坦な入力操作面２９を有し、この入力操作面２９が第２の貫通孔２３ｂを通じて筐体４の外方に露出している。クリックスイッチ２８ａ，２８ｂは、タッチパッド２７を使用する際のコマンドの実行およびキャンセル用スイッチである。これらクリックスイッチ２８ａ，２８ｂは、タッチパッド２７の直前において筐体４の幅方向に間隔を存して並んでいるとともに、第３および第４の貫通孔２３ｃ，２３ｄの真下に位置している。
【００２４】
さらに、プリント回路板１９の後端にフレキシブルプリント配線板３１が電気的に接続されている。フレキシブルプリント配線板３１は、一対の他のクリックスイッチ３２ａ，３２ｂを有している。他のクリックスイッチ３２ａ，３２ｂは、ジョイスティック７を使用する際のコマンドの実行およびキャンセル用スイッチである。これら他のクリックスイッチ３２ａ，３２ｂは、タッチパッド２７の直後において筐体４の奥行き方向に間隔を存して並んでいるとともに、第１および第５の貫通孔２３ａ，２３ｅの真下に位置している。
【００２５】
図２に示すように、第１のクリックスイッチボタン２０ａ，２０ｂは、第１および第５の貫通孔２３ａ，２３ｅに合致するような細長い形状を有している。これら第１のクリックスイッチボタン２０ａ，２０ｂは、フレーム１８の下方から第１および第５の貫通孔２３ａ，２３ｅに嵌め込まれているとともに、その上面が手の指先で押せるようにフレーム１８の上面１８ａに露出している。
【００２６】
図７に示すように、第１のクリックスイッチボタン２０ａ，２０ｂは、帯状をなす一対のアーム３３ａ，３３ｂを介して互いに連結されている。これら第１のクリックスイッチボタン２０ａ，２０ｂおよびアーム３３ａ，３３ｂは、合成樹脂材料にて一体成形されている。アーム３３ａ，３３ｂは、弾性を有しており、第１のクリックスイッチボタン２０ａ，２０ｂの間に跨るとともに、これらクリックスイッチボタン２０ａ，２０ｂの周囲に張り出している。アーム３３ａ，３３ｂの中間部は、夫々ねじ３４を介してフレーム１８に固定されている。
【００２７】
このため、第１のクリックスイッチボタン２０ａ，２０ｂは、アーム３３ａ，３３ｂを介してフレーム１８に支持されており、これらアーム３３ａ，３３ｂの弾性により待機位置と操作位置との間に亘って変位可能となっている。この待機位置では、第１のクリックスイッチボタン２０ａ，２０ｂの上面がフレーム１８の上面２２から僅かに突出している。操作位置では、第１のクリックスイッチボタン２０ａ，２０ｂが待機位置よりも沈み込むようになっている。
【００２８】
第１のクリックスイッチボタン２０ａ，２０ｂは、その裏面の中央部に押圧突起３５を有している。押圧突起３５の先端は、他のクリックスイッチ３２ａ，３２ｂと向かい合っている。したがって、第１のクリックスイッチボタン２０ａ，２０ｂを手の指先で待機位置から操作位置に向けて押圧すると、押圧突起３５が他のクリックスイッチ３２ａ，３２ｂに接触し、これらクリックスイッチ３２ａ，３２ｂが操作される。
【００２９】
一方、上記第２のクリックスイッチボタン２１，２１ｂは、本発明の押しボタンに該当するものである。これら第２のクリックスイッチボタン２１，２１ｂは、夫々ベース３６とボタントップ３７とで構成されている。ベース３６は、第３および第４の貫通孔２３ｃ，２３ｄの内側に位置している。
【００３０】
詳しく述べると、ベース３６は、第３および第４の貫通孔２３ｃ，２３ｄよりも小さな板状であり、これら貫通孔２３ｃ，２３ｄの開口縁部によって取り囲まれている。ベース３６は、第３および第４の貫通孔２３ｃ，２３ｄの長手方向に沿う一端および他端を有し、これら一端および他端が一対のアーム３８ａ，３８ｂを介してフレーム１８の第３および第４の貫通孔２３ｃ，２３ｄの開口縁部に支持されている。フレーム１８、ベース３６およびアーム３８ａ，３８ｂは、合成樹脂材料にて一体成形されており、そのアーム３８ａ，３８ｂが弾性を有している。
【００３１】
アーム３８ａ，３８ｂは、フレーム１８から第３および第４の貫通孔２３ｃ，２３ｄの内側に向けて張り出している。言い換えると、アーム３８ａ，３８ｂは、第３および第４の貫通孔２３ｃ，２３ｄの開口縁部とベース３６との間の隙間に収められている。これらアーム３８ａ，３８ｂは、長さ寸法を確保するために略Ｓ字形に曲がっており、これによりアーム３８ａ，３８ｂの弾性を高めている。さらに、アーム３８ａ，３８ｂは、ベース３６を間に挟んで対称に配置されている。
【００３２】
ボタントップ３７は、合成樹脂製であり、ベース３６よりも大きな平坦な板状をなしている。ボタントップ３７は、ベース３６に熱溶着あるいは接着等の手段により固定され、このベース３６を上から覆っている。このため、第２のクリックスイッチボタン２１ａ，２１ｂは、アーム３８ａ，３８ｂを介してフレーム１８に支持されており、これらアーム３８ａ，３８ｂの弾性により待機位置と操作位置との間に亘って変位可能となっている。
【００３３】
この閉じ位置では、第２のクリックスイッチボタン２１ａ，２１ｂの上面がフレーム１８の上面２２の前半部と同一面上に位置している。操作位置では、第２のクリックスイッチボタン２１ａ，２１ｂが待機位置よりも沈み込むようになっている。この際、アーム３８ａ，３８ｂは、ベース３６を間に挟んで対称に配置されているので、第２のクリックスイッチボタン２１ａ，２１ｂは、フレーム１８に対し傾くことなく沈み込む。
【００３４】
さらに、ボタントップ３７の外周部３９は、ベース３６の周囲に張り出している。この外周部３９は、第３および第４の貫通孔２３ｃ，２３ｄおよびアーム３８ａ，３８ｂをフレーム１８の上方から覆い隠している。すなわち、第２のクリックスイッチボタン２１ａ，２１ｂのボタントップ３７は、アーム３８ａ，３８ｂと重なり合うような位置関係に保たれており、このボタントップ３７の外周部３９の下方にアーム３８ａ，３８ｂが位置している。
【００３５】
図５ないし図７に示すように、第２のクリックスイッチボタン２１ａ，２１ｂのベース３６は、その裏面の中央部に押圧突起４０を有している。押圧突起４０の先端は、プリント回路板１９の上のクリックスイッチ２８ａ，２８ｂと向かい合っている。したがって、第２のクリックスイッチボタン２１ａ，２１ｂを手の指先で待機位置から操作位置に押圧すると、押圧突起４０がクリックスイッチ２８ａ，２８ｂに接触し、これらクリックスイッチ２８ａ，２８ｂが操作される。
【００３６】
このような構成によれば、第２のクリックスイッチボタン２１ａ，２１ｂを支えるアーム３８ａ，３８ｂは、第２のクリックスイッチボタン２１ａ，２１ｂのボタントップ３７の外周部３９と重なり合うような位置関係に保たれ、この外周部３９によってフレーム１８の上方から覆い隠されている。
【００３７】
このため、アーム３８ａ，３８ｂがボタントップ３７の周囲に張り出すことはなく、これらアーム３８ａ，３８ｂをフレーム１８の第３および第４の貫通孔２３ｃ，２３ｄの内側にコンパクトに配置することができる。よって、第２のクリックスイッチボタン２１ａ，２１ｂの設置に必要なスペースを削減することができ、その分、フレーム１８の大形化を防止して、押しボタンユニット１７を筐体４のパームレスト８にコンパクトに組み込むことができる。
【００３８】
本発明は、上記第１の実施の形態に特定されるものではなく、図８および図９に本発明の第２の実施の形態を示す。
【００３９】
図８および図９に示すように、電子機器の筐体５１は、外壁５２を有している。この外壁５２に、筐体５１の外方に開口する長方形状の凹部５３が形成されている。凹部５３は、外壁５２の上にボタン配置領域を定めている。この凹部５３は、底壁５４および四つの周壁５５ａ〜５５ｄを有し、この底壁５４に筐体５１の内部に連なる開口部５６が形成されている。
【００４０】
筐体５１の内部にプリント回路板５８が収容されている。プリント回路板５８は、プッシュ式のスイッチ５９を有し、このスイッチ５９は、開口部５６と向かい合っている。
【００４１】
外壁５２の凹部５３にスイッチ５９を操作する押しボタン６０が配置されている。押しボタン６０は、ベース６１とボタントップ６２とで構成されている。ベース６１は、凹部５３の内側に配置され、周壁５５ａ〜５５ｄによって取り囲まれている。ベース６１は、凹部５３の長手方向に沿う一端および他端を有し、これら一端および他端が一対のアーム６３ａ，６３ｂを介して凹部５３の周壁５５ａ，５５ｃに支持されている。外壁５２、ベース６１およびアーム６３ａ，６３ｂは、合成樹脂材料にて一体成形されており、そのアーム６３ａ，６３ｂが弾性を有している。
【００４２】
アーム６３ａ，６３ｂは、凹部５３の周壁５５ａ，５５ｃとベース６１との間の隙間に収められている。これらアーム６３ａ，６３ｂは、長さ寸法を確保するため略Ｓ字形に曲がっており、これによりアーム６３ａ，６３ｂの弾性を高めている。さらに、アーム６３ａ，６３ｂは、ベース６１を間に挟んで対称に配置されている。
【００４３】
ボタントップ６２は、合成樹脂製であり、ベース６１よりも大きな平坦な板状をなしている。ボタントップ６２は、ベース６１に熱溶着あるいは接着等の手段により固定されて、このベース６１を上方から覆っている。このため、押しボタン６０は、アーム６３ａ，６３ｂを介して凹部５３に支持されており、これらアーム６３ａ，６３ｂの弾性により待機位置と操作位置との間に亘って変位可能となっている。この待機位置では、押しボタン６０が外壁５２の外面から僅かに突出している。操作位置では、押しボタン６０が待機位置よりも凹部５３内に沈み込むようになっている。この際、アーム６３ａ，６３ｂは、ベース６１を間に挟んで対称に配置されているので、押しボタン６０は、凹部５３の底壁５４に対し傾くことなく沈み込む。
【００４４】
さらに、ボタントップ６２の外周部６４は、ベース６１の周囲に張り出している。この外周部６４は、凹部５３の底壁５４、開口部５６およびアーム６３ａ，６３ｂを覆い隠している。すなわち、押しボタン６０のボタントップ６２は、アーム６３ａ，６３ｂと重なり合った位置関係に保たれており、このボタントップ６２の外周部６４と凹部５３の底壁５４との間にアーム６３ａ，６３ｂが位置している。
【００４５】
図８に示すように、押しボタン６０のベース６１は、その裏面の中央部に押圧突起６５を有している。押圧突起６５の先端は、開口部５６を介してスイッチ５９と向かい合っている。したがって、押しボタン６０を手の指先で待機位置から操作位置に押圧すると、押圧突起６５の先端がスイッチ５９に接触し、このスイッチ５９が操作される。
【００４６】
このような構成によれば、押しボタン６０を支えるアーム６３ａ，６３ｂは、押しボタン６０のボタントップ６２の外周部６４と重なり合うような位置関係に保たれ、この外周部６４と凹部６３の底壁５４との間に介在されている。
【００４７】
このため、アーム６３ａ，６３ｂがボタントップ６２の周囲に張り出すことはなく、これらアーム６３ａ，６３ｂを凹部５３の内側にコンパクトに収めることができる。したがって、押しボタン６０の設置に必要なスペースを削減することができる。
【００４８】
なお、押しボタンは、その両端を一対のアームを介して支持する必要はなく、例えば押しボタンの一端を単一のアームを介して支持するようにしてもよい。
【００４９】
また、本発明に係る電子機器は、ポータブルコンピュータに限らず、例えばＰＤＡ（Ｐｅｒｓｏｎａｌ  Ｄｉｇｉｔａｌ  Ａｓｓｉｓｔａｎｔｓ）のようなその他の移動体情報機器であっても同様に実施できる。
【００５０】
【発明の効果】
以上詳述した本発明によれば、アームが押しボタンの周囲に張り出すことはなく、押しボタンの設置に必要なスペースを削減することができる。
【図面の簡単な説明】
【図１】本発明の第１の実施の形態に係るポータブルコンピュータの斜視図。
【図２】本発明の第１の実施の形態において、クリックスイッチボタンを有するフレームと、クリックスイッチおよびタッチパッドを有するプリント回路板との位置関係を示す斜視図。
【図３】本発明の第１の実施の形態に係るフレームの斜視図。
【図４】押しボタンのベースとボタントップとの位置関係を示す斜視図。
【図５】本発明の第１の実施の形態に係るフレームの背面図。
【図６】図５のＦ６部を拡大して示す背面図。
【図７】本発明の第１の実施の形態において、第１および第２のクリックスイッチボタンを取り付けたフレームの背面図。
【図８】本発明の第２の実施の形態において、押しボタンを有する筐体の断面図。
【図９】本発明の第２の実施の形態において、凹部、アーム、ベースおよびボタントップの位置関係を一部断面で示す筐体の平面図。
【符号の説明】
４，５１…筐体、４ａ…外壁（上壁）、１７…押しボタンユニット、１８…フレーム、２１ａ，２１ｂ，６０…押しボタン（クリックスイッチボタン）、３８ａ，３８ｂ，６３ａ，６３ｂ…アーム、５３…ボタン配置領域（凹部）。
【図１】
2004259537.tif 000003
【図２】
2004259537.tif 000004
【図３】
2004259537.tif 000005
【図４】
2004259537.tif 000006
【図５】
2004259537.tif 000007
【図６】
2004259537.tif 000008
【図７】
2004259537.tif 000009
【図８】
2004259537.tif 000010
【図９】
2004259537.tif 000011